(57)【要約】【課題】撮影装置と顔が正対していなくても特徴部分の情報量減少を抑制して、認証のための登録用の目の特徴部分の画像を取得できるようにする。【解決手段】電子機器は利用者が注視する注視対象となる目標画像を表示する表示部と、上記利用者の目を含む画像を取得する撮影部と、上記電子機器の位置の変化を検知する検知部と、上記電子機器の位置の変化を検知した場合に、上記電子機器の位置の変化を打ち消す方向に上記表示部の画面上で位置を変化させて上記目標画像を表示するとともに上記撮影部で上記利用者の目を含む画像を取得し、上記取得された画像から目の特徴情報を取得する制御部と、上記取得された目の特徴情報を記録する記録部と、を備える。【選択図】図５
2017021574.tif 000002
【特許請求の範囲】
【請求項１】
利用者の目の特徴情報を記録する電子機器において、
利用者が注視する注視対象となる目標画像を表示する表示部と、
前記利用者の目を含む画像を取得する撮影部と、
前記電子機器の位置の変化を検知する検知部と、
前記電子機器の位置の変化を検知した場合に、前記電子機器の位置の変化を打ち消す方向に前記表示部の画面上で位置を変化させて前記目標画像を表示するとともに前記撮影部を介して利用者の目の特徴情報を取得する制御部と、
前記取得された目の特徴情報を記録する記録部と、を備える電子機器。
【請求項２】
前記制御部は、さらに、前記電子機器の位置を変化させるように前記利用者に促す情報を前記表示部に表示し、前記電子機器の位置の変化に対応して前記目標画像が前記表示部の画面の端部から所定の範囲まで近接したときに前記撮影部により前記利用者の目を含む画像を取得する
請求項１に記載の電子機器。
【請求項３】
電子機器に、利用者の目の特徴情報を記録させるプログラムにおいて、
利用者が注視する注視対象となる目標画像を表示部に表示し、
前記電子機器の位置の変化を検知し、
前記電子機器の位置の変化を検知した場合に、前記電子機器の位置の変化を打ち消す方向に前記表示部の画面上で位置を変化させて前記目標画像を表示するとともに撮影部を介して利用者の目の特徴情報を取得し、前記取得された目の特徴情報を記録させるためのプログラム。
【請求項４】
さらに、前記電子機器に、前記電子機器の位置を変化させるように前記利用者に促す情報を前記表示部に表示し、前記電子機器の位置の変化に対応して前記目標画像が前記表示部の画面の端部から所定の範囲まで近接したときに撮影部より利用者の目を含む画像を取得させるための請求項３に記載のプログラム。
【発明の詳細な説明】
【技術分野】
【０００１】
本発明は、電子機器およびプログラムに関する。
【背景技術】
【０００２】
コンピュータによる個人認証技術の１つとして、虹彩認証等の目の特徴情報を利用する認証技術が知られている。虹彩認証は、眼球の黒目部分の模様あるいはパターンを使って個人を識別し、認証する技術である。目の特徴情報による認証では、事前に撮影し、登録しておいた目の特徴情報を含む画像と、認証対象者の目の特徴情報を含む画像とが照合される。このような認証では、認証対象者の目の特徴情報部分と、特徴情報部分を含む画像を撮影する撮影装置との相対的な位置関係によって、特徴情報部分を含む画像が様々な方向から撮影される可能性がある。したがって、例えば、撮影装置と認証対象者の顔が正対していなくても認証できるようにするため、様々な方向から撮影した目の特徴情報を含む画像を認証用に登録しておくことが望ましい。
【先行技術文献】
【特許文献】
【０００３】
【特許文献１】特開２０００−１３２６８１号公報
【特許文献２】特開２００３−１０８９８３号公報
【特許文献３】特開２００５−３３４４０２号公報
【特許文献４】特開２００８−２３０５７５号公報
【発明の概要】
【発明が解決しようとする課題】
【０００４】
しかし、従来、事前に登録する画像を様々な方向から撮影する際、撮影する方向を変えることで撮影される画像が影響を受けることの配慮はなされていなかった。例えば、様々な方向から登録用の特徴情報部分を含む画像を撮影するときに、視線が上下に変動すると、特徴情報部分の画像の一部が上下のまぶたに隠れる場合がある。また、視線が左右に動くと目の特徴部分が目頭、あるいは目尻のような狭い部分に移動し、目の画像から取得可能な特徴部分の情報量が減少してしまうこともあり得る。
【０００５】
そこで、本発明の課題は、撮影装置と顔が正対していなくても特徴部分の情報量減少を抑制して、認証のための目の特徴部分の画像を取得できるようにすることにある。
【課題を解決するための手段】
【０００６】
本発明の一側面は、利用者の目の特徴情報を記録する電子機器によって例示される。本電子機器は利用者が注視する注視対象となる目標画像を表示する表示部と、上記利用者の目を含む画像を取得する撮影部と、上記電子機器の位置の変化を検知する検知部と、上記電子機器の位置の変化を検知した場合に、上記電子機器の位置の変化を打ち消す方向に上記表示部の画面上で位置を変化させて上記目標画像を表示するとともに上記撮影部で上記利用者の目を含む画像を取得し、上記取得された画像から目の特徴情報を取得する制御部と、上記取得された目の特徴情報を記録する記録部と、を備える。
【発明の効果】
【０００７】
本実施の形態の電子機器では、撮影装置と顔が正対していなくても特徴部分の情報量減少を抑制して、認証のための目の特徴部分の画像を取得できる。
【図面の簡単な説明】
【０００８】
【図１】登録のための虹彩を様々な方向から撮影する方法を例示する図である。
【図２】望ましい目の画像を例示する図である。
【図３】乳幼児の登録時に視線が情報処理装置の移動に追従する例を示す図である。
【図４】情報処理装置のハードウェア構成を例示する図である。
【図５】認証対象者の視線と情報処理装置の位置関係を例示する図である。
【図６】情報処理装置の移動とターゲットの画面上の移動との関係を例示する図である。
【図７】顔の正面から目の画像を取得する処理における画面遷移を例示する図である。
【図８】顔の正面左側から目の画像を取得する処理における画面遷移を例示する図である。
【図９】顔の正面右側から目の画像を取得する処理における情報処理装置の画面遷移を例示する図である。
【図１０】画像取得処理を実行する情報処理装置の手順を例示するフローチャートである。
【図１１】ターゲット移動処理の詳細を例示するフローチャートである。
【図１２】認証対象者が情報処理装置を認証対象者の位置を中心に回転移動する場合の処理例である。
【図１３】認証対象者が情報処理装置を正面、および上下に移動させ、三方向から撮影する処理を例示する図である。
【発明を実施するための形態】
【０００９】
以下、図面を参照して一実施形態に係る情報処理装置について説明する。本情報処理装置としては、カメラ等の撮影装置を備えた携帯端末、モバイルデバイス等が例示できる。このような情報処理装置では、虹彩認証等の目の特徴情報を利用する認証技術が利用される。虹彩認証を採用した情報処理装置は、情報処理装置のカメラと認証対象の顔とが正対していなくても認証できるようにするとより使い勝手がよくなる。そのためには、顔と視線を固定したまま、様々な方向から撮影した登録用の画像を取って置くことが望ましい。
【００１０】
＜比較例＞
まず、図１から図３を参照して、比較例に係る情報処理装置の処理を例示する。 
【００１１】
図１に、登録のための虹彩を様々な方向から撮影する方法を例示する。図１の方法では、情報処理装置の画面が固定されており、固定された画面上を移動するターゲットを認証対象者の視線が追いかけるように認証対象者を誘導する。図１の画面では、まず、画面の中央付近（ｂｃの位置）にターゲットが表示される。ターゲットは、認証対象者が目の画像を撮影し、虹彩を登録するときに、認証対象者が注視する画面上のグラフィックオブジェクトである。
【００１２】
そして、ターゲットが画面上で正面右方向（ｂｌの位置の方向）、または左方向（ｂｒの位置の方向）に移動しつつ表示される。図１では、画面上のｂｃの位置、ｂｒの位置、およびｂｌの位置にターゲットが表示されるときに、ターゲットを見る認証対象者の顔の画像が表示されている。なお、ｂｌの位置は、情報処理装置の画面法線方向に向いたときに、左側の位置に相当する。また、ｂｒの位置は、情報処理装置の画面法線方向に向いたときに、右側の位置に相当する。
【００１３】
このような手順で認証対象者の目の画像が撮影されると、ｂｒの位置あるいはｂｃの位置のターゲットを見る認証対象者の画像では、目尻あるいは目頭のように上下のまぶたが狭くなっている部分に黒目部分が入った状態で撮影されることが多い。その結果、この画像では上下のまぶたに隠れてしまう虹彩部分が多くなり、認証のための情報量が減少し、
認証率が下がってしまう可能性が高くなる。
【００１４】
図２に、望ましい目の画像を例示する。図２では、認証対象者の視線は正面を向いたまま、認証者の正面と、正面左側、および正面右側の方向から目の画像が撮影されている（点線で囲まれた部分）。このように撮影されると、上下のまぶたが狭くなっている部分に黒目部分が入らない状態での撮影が可能となる。したがって、このような視線が正面を向いた認証対象者から点線で囲まれた目を含む部分の画像を取得することが望ましい。
【００１５】
虹彩認証を行う情報処理装置は、予め、様々な方向から目の画像、例えば、図２の点線で囲まれた部分を撮影し、目の特徴部分である虹彩の画像を虹彩登録情報として情報処理装置に初期登録しておく。上述のように、認証対象者が初期登録時には顔と目線を一定に維持したまま、情報処理装置を移動し、この移動にしたがって情報処理装置が上下、 左
右の様々な方向から目の画像を取得すればよい。
【００１６】
ただし、人の行動の習性で情報処理装置の移動に伴って視線も移動してしまい、 結果
的に常に正面方向の目の画像しか得られないという問題もある。図３に、例えば、乳幼児の登録時に視線が情報処理装置の移動に追従する例を示す。すなわち、単純に、情報処理装置と認証対象者との相対的な位置関係を変更して認証対象者の目の画像を撮影しても、図２のような望ましい画像が得られるとは限らない。
【００１７】
［実施の形態］
図４に、実施の形態に係る情報処理装置１０のハードウェア構成を例示する。情報処理装置１０は、上述のように、虹彩認証を行うモバイルデバイスであるスマートフォンやタブレットによって例示される。情報処理装置１０は、メインＣＰＵ１１と、サブＣＰＵ１２と、メモリ１３と、ディスプレイ１４と、メインＣＰＵ１１に接続されるカメラ１５と、サブＣＰＵ１２に接続されるセンサ（加速度センサ１６、ジャイセンサ１７）とを有する。
【００１８】
メインＣＰＵ１１は、メモリ１３に実行可能に展開されたコンピュータプログラムを実行し、情報処理装置１０の機能を提供する。すなわち、メインＣＰＵ１１はメモリ１３をワークエリアとして、以下の実施の形態で例示する処理を実行する。例えば、メインＣＰＵ１１は虹彩撮影用のカメラ１５から撮影した画像を取り込み、情報処理装置１０に登録する処理、および認証対象者である利用者を認証する処理を実行する。また、メインＣＰＵ１１は、ディスプレイ１４を用いて、登録する処理の実行時のガイダンス画面を表示する。 
【００１９】
サブＣＰＵ１２は加速度センサ１６、ジャイロセンサ１７から加速度情報、角速度情報を常時取り込んでおり、特定の期間の加速度、角速度の積算値をメインＣＰＵ１１に引き渡す。メインＣＰＵ１１はサブＣＰＵ１２から加速度、あるいは角速度の積算値を取得する。そして、メインＣＰＵ１１は、取得した加速度、あるいは角速度から情報処理装置１０の位置の変化を検出し、ディスプレイ１４上のターゲットの移動量を決定する。 
【００２０】
メモリ１３は、メインＣＰＵ１１、サブＣＰＵ１２が実行するコンピュータプログラム、メインＣＰＵ１１、サブＣＰＵ１２が処理するデータ等を記憶する。メモリ１３は、Dynamic Random Access Memory（ＤＲＡＭ）、Static Random Access Memory（ＳＲＡＭ）
、Read Only Memory（ＲＯＭ）等である。
【００２１】
なお、情報処理装置１０には、着脱可能記憶媒体の駆動装置を設けてもよい。着脱可能記憶媒体は、例えば、ブルーレイディスク、Digital Versatile Disk（ＤＶＤ）、Compact Disc（ＣＤ）、フラッシュメモリカード等である。
【００２２】
ディスプレイ１４は、例えば、液晶ディスプレイ、エレクトロルミネッセンスパネル等である。カメラ１５は、ディスプレイ１４の表示面と同じ側の筐体面で、表示面周囲の縁に設けられ、表示面に表示されたターゲットを注視する認証対象者の目の画像を取得する。カメラ１５は、Charge-Coupled Device（ＣＣＤ）、Metal-Oxide-Semiconductor（ＭＯＳ）センサ等の撮像素子を有する。
【００２３】
以上の構成により、情報処理装置１０は、認証対象者の顔を動かさずに虹彩情報を取得するため、例えば、認証対象者が撮影角度を変えて情報処理装置１０を移動するのに合わせてディスプレイ１４の画面のターゲットの位置を移動させる。このとき、認証対象者から見ると同じ方向にターゲットが見えるように、情報処理装置１０は、ターゲットの表示位置を制御する。すなわち、メインＣＰＵ１１は、加速度センサ１６またはジャイロセンサ１７の検出値を基に、情報処理装置１０の移動量を測定し、その移動量だけ画面上でターゲットを反対方向に移動させる。つまり、メインＣＰＵ１１は、情報処理装置１０の移動を打ち消す方向に、ディスプレイ１４の画面で、ターゲットを移動して表示する。
【００２４】
このようにすることで認証対象者の顔（目）はターゲットを向く。したがって、認証対象者の視線は正面を向いた状態のまま、情報処理装置１０は、様々な角度の目の画像、例えば、虹彩登録情報を取得することが可能となる。情報処理装置１０は、電子機器の一例である。メインＣＰＵ１１が制御部の一例である。ディスプレイ１４が表示部の一例である。カメラ１５が撮影部の一例である。サブＣＰＵ１２と加速度センサ１６、またはサブＣＰＵ１２とジャイロセンサ１７が検知部の一例である。メモリ１３が記録部の一例である。さらに、認証対象者は利用者の一例である。
【００２５】
図５は、本実施の形態における認証対象者の視線と情報処理装置１０の位置関係を例示する図である。情報処理装置１０が認証対象者のほぼ正面に位置する場合、ターゲットは概ね画面の中央、例えば、図５のターゲットの存在範囲Ａで例示される箇所に表示される。このとき、認証対象者は、ターゲットの方向に視線を向けるので、視線は正面を向く。
【００２６】
情報処理装置１０が認証対象者の正面左方向に移動すると、情報処理装置１０は、ターゲットを画面上で右方向に移動して表示する。ターゲットは、最終的には画面上の右端付近、例えば、図５のターゲットの存在範囲Ｂで例示される箇所に表示される。存在範囲Ｂの箇所は、例えば、図２に例示したｂｌの位置に相当する。したがって、情報処理装置１０が認証対象者の正面左方向に移動しても、ターゲットは、情報処理装置１０の移動によるターゲットの移動を緩和する方向に画面上で移動して表示される。その結果、認証対象者は、ターゲットの方向に視線を向けるので、視線は正面を向きやすくなる。ターゲットが存在範囲Ｂで例示される箇所に表示されるとき、情報処理装置１０のカメラ１５は、左側から認証対象者の目の画像、例えば虹彩を撮影する。
【００２７】
同様に、情報処理装置１０が認証対象者の正面右方向に移動すると、情報処理装置１０は、ターゲットを画面上で左方向に移動して表示する。ターゲットは、最終的には画面上の左端付近、例えば、図５のターゲットの存在範囲Ｃで例示される箇所に表示される。したがって、情報処理装置１０が認証対象者の正面右方向に移動しても、ターゲットは、情報処理装置１０の移動によるターゲットの移動を緩和する方向に画面上で移動して表示される。その結果、認証対象者は、ターゲットの方向に視線を向けるので、視線は正面を向きやすくなる。ターゲットが存在範囲Ｃで例示される箇所に表示されるとき、情報処理装置１０のカメラ１５は、右側から認証対象者の目の画像、例えば虹彩を撮影する。すなわち、図５の左下に例示するように、情報処理装置１０は、認証対象者の視線を正面に維持した上で、正面、および左右から認証対象者の目の画像を撮影できる。したがって、情報処理装置１０は、目尻、目頭等の上下のまぶたの狭い部分で、虹彩が隠されることを抑制
して、虹彩の画像を取得できる。
【００２８】
図６は、情報処理装置１０の移動とターゲットの画面上の移動との関係を例示する図である。図６で、上側には、画面中央にターゲットを表示した情報処理装置１０のディスプレイ１４が例示されている。また、図６で、下側には、左方向に移動した情報処理装置１０のディスプレイ１４が例示されている。情報処理装置１０の左方向へ移動量は例えば距離ａである。このとき、ターゲットはディスプレイ１４の画面上で右方向に移動して表示される。ターゲットの画面上の移動量は例えば距離ｂで例示される。仮に、距離ａと距離ｂが一致する場合には、図６のように、ターゲットの空間上の位置は移動なしにすることができる。
【００２９】
＜実施例＞
以下、図７から図１１を参照して、情報処理装置１０による目の画像を取得する処理の実施例を説明する。図７は、顔の正面から目の画像を取得する処理における情報処理装置１０の画面遷移を例示する図である。
【００３０】
はじめに、情報処理装置１０のメインＣＰＵ１１は、情報処理装置１０のディスプレイ１４を認証対象者の顔の正面へ移動させる指示を表示する(Ｄ１)。例えば、情報処理装置１０は、「端末を目の高さまで上げてください」とういうメッセージを表示する。なお、図７から図９の画面に表示されるメッセージでは、情報処理装置１０は「端末」とされている。
【００３１】
次に、メインＣＰＵ１１はターゲットを画面上に表示し(Ｄ２)、続けてターゲットを注目する指示を表示する(Ｄ３)。そして認証対象者がターゲットに視線を合わせる。このとき、メインＣＰＵ１１は、顔の正面からの目の画像を得るため、カメラ１５により自動的に撮影を行い、正面からの虹彩情報を得る。
【００３２】
図８は、顔の正面左側から目の画像を取得する処理における情報処理装置１０の画面遷移を例示する図である。顔の正面左側からの目の画像を撮影するために、メインＣＰＵ１１はターゲットを画面の右に移動させる（Ｄ４）。そして、メインＣＰＵ１１は情報処理装置１０を顔の正面左側に移動させる指示を表示する(Ｄ５) 。認証対象者が顔の正面左
側に情報処理装置１０の移動を開始すると、メインＣＰＵ１１は、サブＣＰＵ１２を介して加速度センサ１６から取得した加速度等から移動量を検知し、検知した移動量分だけディスプレイ１４上のターゲットをディスプレイ１４上の右方向に移動させる。そして、メインＣＰＵ１１はターゲットがディスプレイ１４上の右端付近に達したときに移動を停止する指示を表示し(Ｄ６)、カメラ１５により自動的に目の画像の撮影を行い、顔の正面左側からの虹彩情報を得る。
【００３３】
図９は、顔の正面右側から目の画像を取得する処理における情報処理装置１０の画面遷移を例示する図である。顔の正面右側からの目の画像を撮影するために、メインＣＰＵ１１はターゲットを画面の左に移動させる（Ｄ７）。そして、メインＣＰＵ１１は情報処理装置１０を右側に移動させる指示を表示する(Ｄ８)。認証対象者が顔の正面右側に情報処理装置１０の移動を開始すると、メインＣＰＵ１１は、Ｄ４からＤ６と同様に、情報処理装置１０の移動量に合わせて、ディスプレイ１４上のターゲットを左側に移動させる。ターゲットがディスプレイの左端付近に達したときに、メインＣＰＵ１１は移動を停止する指示を表示し(Ｄ９) 、カメラ１５により自動的に撮影を行い顔の正面右側からの虹彩情
報を得る。
【００３４】
図１０は、図８から図９で例示した画像取得処理を実行する情報処理装置１０の手順を例示するフローチャートである。図１０でＳＴＥＰ１のラベルが付された矢印の部分は、
図７の正面からの撮影に対応し、ＳＴＥＰ２のラベルが付された矢印の部分は、図８の正面左側からの撮影に対応し、ＳＴＥＰ３のラベルが付された矢印の部分は、図９の正面右側からの撮影に対応する。
【００３５】
図１０の処理では、まず、メインＣＰＵ１１は、ディスプレイ１４に顔正面へ情報処理装置１０本体を移動させる指示を表示する（Ｓ１）。次に、メインＣＰＵ１１は、ターゲットをディスプレイ１４上に表示する（Ｓ２）。次に、メインＣＰＵ１１は、情報処理装置１０に備え付けられたカメラ１５により認証対象者の目を検出する（Ｓ３）。次に、メインＣＰＵ１１は、虹彩を撮影する（Ｓ４）。以上により、情報処理装置１０は、認証対象者の正面からの撮影を終了する。
【００３６】
次に、メインＣＰＵ１１は、情報処理装置１０本体を水平に顔の左方向へ移動させる指示を表示する（Ｓ５）。メインＣＰＵ１１は、電子機器の位置を変化させるように前記利用者に促す情報を前記表示部に表示することの一例として、Ｓ５の処理を実行する。次に、メインＣＰＵ１１は、ターゲット移動処理（右方向への移動処理）を起動する（Ｓ６）。ターゲット移動処理の詳細は別途図１２にしたがって説明する。そして、メインＣＰＵ１１は、ターゲットの変位bが左方向への変位（距離）blに達したか否かを判定する（Ｓ
７）。ターゲットの変位bが左方向への変位（距離）blに達すると（Ｓ７でＹＥＳ）、メ
インＣＰＵ１１は、ターゲットがディスプレイの右端に表示されていると判断し、カメラ１４により自動的に虹彩を撮影する（Ｓ８）。なお、Ｓ８の処理では、メインＣＰＵ１１は、カメラ１５により、少なくとも目を含む顔の画像を撮影し、虹彩の部分を切り出せばよい。
【００３７】
メインＣＰＵ１１は、撮影部を介して利用者の目の特徴情報を取得することの一例として、Ｓ８の処理を実行する。また、メインＣＰＵ１１は、表示部の画面の端部から所定の範囲まで近接したときに前記撮影部により前記利用者の目を含む画像を取得することの一例として、Ｓ８の処理を実行する。なお、右端とは、画面の端部境界線から所定距離の範囲をいい、所定距離は、例えば、虹彩情報登録処理ためのシステムパラメータとして、メモリ１３に格納しておけばよい。以上でメインＣＰＵ１１は、認証対象者の左側からの撮影を終了する。
【００３８】
次に、メインＣＰＵ１１は、情報処理装置１０を逆方向へ移動させる指示をディスプレイ１４に表示する（Ｓ９）。メインＣＰＵ１１は、電子機器の位置を変化させるように前記利用者に促す情報を前記表示部に表示することの一例として、Ｓ９の処理を実行する。そして、メインＣＰＵ１１は、ターゲットの変位bが右方向への変位（距離）bｒに達したか否かを判定する（Ｓ１０）。ターゲットの変位bが右方向への変位（距離）bｒに達すると（Ｓ１０でＹＥＳ）、メインＣＰＵ１１は、ターゲットがディスプレイの左端に表示されていると判断し、カメラ１４により自動的に虹彩を撮影する（Ｓ１１）。Ｓ１１の処理はＳ８と同様である。メインＣＰＵ１１は、撮影部を介して利用者の目の特徴情報を取得することの一例として、Ｓ１１の処理を実行する。また、メインＣＰＵ１１は、表示部の画面の端部から所定の範囲まで近接したときに前記撮影部により前記利用者の目を含む画像を取得することの一例として、Ｓ１１の処理を実行する。以上でメインＣＰＵ１１は、認証対象者の左側からの撮影を終了する。そして、メインＣＰＵ１１は、ターゲット移動処理終了を指示する（Ｓ１２）。さらに、メインＣＰＵ１１は、撮影した３方向の虹彩情報をデータベースに格納する（Ｓ１３）。メインＣＰＵ１１は、取得された目の特徴情報を記録させる処理の一例としてＳ１３の処理を実行する。
【００３９】
図１１は、ターゲット移動処理（図１１のＳ６）の詳細を例示するフローチャートである。図１１の処理では、メインＣＰＵ１１は、まず、定周期タイマをスタートする（Ｓ６１）。次に、メインＣＰＵ１１は、加速度の積算値情報をサブＣＰＵ１２から入手する（
Ｓ６２）。次に、メインＣＰＵ１１は、加速度積算値から変位aを算出する（Ｓ６３）。
次に、メインＣＰＵ１１は、表示画面上のターゲットを逆方向に変位a移動して表示する
（Ｓ６４）。メインＣＰＵ１１は、電子機器の位置の変化を打ち消す方向に前記表示部の画面上で位置を変化させて前記目標画像を表示することの一例として、Ｓ６４の処理を実行する。
【００４０】
次に、メインＣＰＵ１１は、タイマが満了したか否かを判定する（Ｓ６５）。タイマが満了していない場合、メインＣＰＵ１１は、Ｓ６２以下の処理を繰り返す。一方、タイマが満了していない場合、メインＣＰＵ１１は、ターゲット移動処理を終了する。
【００４１】
以上のように、メインＣＰＵ１１は、タイマが満了するまでの間、加速度の積算値情報から算出される情報処理装置１０の変位ａと逆方向に同じ変位ａだけ画面上でターゲットを移動して表示する処理を繰り返す。
【００４２】
＜実施の形態の効果＞
以上述べたように、本実施の形態の情報処理装置１０は、認証対象者に対して、顔の正面からの目の画像の撮影、正面左側からの撮影、および正面右側からの撮影を支援する。より具体的には、図７から図１１に例示したように、情報処理装置１０は、画面の上のターゲットを注視するように認証対象者を促し、まず、正面から目の画像を撮影する。次に、情報処理装置１０は、認証対象者に情報処理装置１０を正面左方向に移動するように促すとともに、情報処理装置１０の移動を検知し、情報処理装置１０の移動方向と逆方向である右方向に画面上でターゲットを移動する。そして、ターゲットが画面の右端付近に達したときに、情報処理装置１０は認証対象者の目の画像を撮影する。このとき、情報処理装置の移動によって、カメラ１４は正面左方向から、正面のターゲットを注視する認証対象の目を撮影する。ターゲットが情報処理装置１０の移動を打ち消す方向に移動しているため、認証対象者の視線の方向は、ほぼ正面を向いているからである。
【００４３】
さらに、情報処理装置１０は、認証対象者に情報処理装置１０を正面右方向に移動するように促すとともに、情報処理装置１０の移動を検知し、情報処理装置の移動方向と逆方向である左方向に画面上でターゲットを移動する。そして、ターゲットが画面の左端付近に達したときに、情報処理装置１０認証対象者の目の画像を撮影する。このような手順によって、情報処理装置１０は、認証対象者が正面を向いた状態で、認証対象者の目の画像を正面、左側、および右側から撮影することができる。以上の手順で得られた目の画像では、視線が正面を向いているため、虹彩の部分が目尻、あるいは目頭のように、上下のまぶたの間隔が狭くなっている箇所に位置することを抑制して、目の画像を複数の方向から撮影される。したがって、本情報処理装置１０は、例えば、虹彩のパターンが上下のまぶたに一部隠れるというような状況の発生を抑止でき、認証を精度よく実施できる可能性を高めることができる。
【００４４】
また、情報処理装置１０は、ディスプレイ１４にターゲットを表示し、認証対象者にターゲットを注視するように促すので、情報処理装置１０が移動した場合も、認証対象者の視線が情報処理装置１０の移動に追従してしまうことを抑制できる。さらに、情報処理装置１０は、ディスプレイ１４にターゲットを表示し、認証対象者にターゲットを注視するように促すので、認証対象者の視線が上下に変動して虹彩のパターンが上下のまぶたに一部隠れることを抑制できる。
【００４５】
また、情報処理装置１０は、情報処理装置１０本体を水平に顔の左方向、あるいは右方向へ移動させる指示を表示するので、適切に認証対象者をガイドできる。さらに、情報処理装置１０は、ターゲットがディスプレイ１４の右端、あるいは左端に表示されていると判断して、カメラ１４により自動的に虹彩を撮影するので、画面を限界まで利用して、右
側、あるいは左側の最もカメラ１５の視軸が傾いた状態で認証対象者の虹彩を撮影できる。つまり、情報処理装置１０は、ターゲットが前記表示部の画面の端部から所定の範囲まで近接したことを適切に判断でき、複数の方向からの認証対象者の虹彩の撮影を効果的に支援できる。
【００４６】
＜変形例＞
上記実施形態では、認証対象者に対して、情報処理装置１０を左右に移動するように促して、情報処理装置１０が認証対象者の目の画像を撮影した。しかし、本情報処理装置１０の処理は、上記実施の形態の処理に限定されない。
【００４７】
図１２は、認証対象者が情報処理装置１０を認証対象者の位置を中心に回転移動する場合の処理例である。この例では、例えば、情報処理装置１０は、認証対象者に情報処理装置１０を手にもって手を正面に伸ばすように促す。そして、図７と同様に、情報処理装置１０が、正面から認証対象者の目の画像を撮影する。次、情報処理装置１０は、認証対象者に、正面の位置から体の軸を中心に左方向に手を回転させる、つまり、体の中心軸に対する周回軌道上に沿って情報処理装置１０を移動するように促す。そして、情報処理装置１０は、ジャイロセンサ１７により、角速度を検知し、例えば、体の中心軸を回転中心とする情報処理装置１０の移動を検知する。情報処理装置１０は、このような左方向への情報処理装置１０の回転移動検知し、移動を打ち消す方向、つまり、画面で右方向にターゲットを移動しつつ表示すればよい。そして、情報処理装置１０は、ターゲットが画面の右端部付近に達したときに、上記実施の形態と同様に、認証対象者の目の画像を撮影すればよい。
【００４８】
さらに、情報処理装置１０は、認証対象者に情報処理装置１０を体の軸を中心に右方向に手を回転させる、つまり、体の中心軸に対する周回軌道上に沿って情報処理装置１０を右方向に移動するように促す。そして、情報処理装置１０は、左方向と同様の手順で、情報処理装置１０を持つ手を右側に移動するように促し、ターゲットが画面左端付近に達したとき、認証対象者の目の画像を撮影すればよい。
【００４９】
図１３は、認証対象者が情報処理装置１０を正面、および上下に移動させ、三方向から撮影する処理を例示する。すなわち、情報処理装置１０は、認証対象者に対して、情報処理装置１０を正面で保持し、さらに上方および下方に移動するように指示する。認証対象者が情報処理装置１０を上下に移動すると、情報処理装置１０は、加速度センサ１６、あるいはジャイロセンサ１７の出力に基づくサブＣＰＵ１２から加速度の積算値、あるいは角速度の積算値により情報処理装置１０の移動を検知する。そして、情報処理装置１０は、移動を打ち消す方向に画面上でターゲットを表示し、認証対象者にターゲットを注視するように促す。そして、情報処理装置１０は、ターゲットが利用者の顔の正面の他、画面上端付近あるいは下端付近に達したときに、利用者の目を撮影するようにすればよい。このような手順によって、左右方向の他、上下方向から利用者の目の画像を撮影できる。また、撮影された画像は、認証対象者の視線が正面を向いた状態で上下方向から撮影したものとなる。その結果、虹彩の部分が上下のまぶたに隠れる割合を低減でき、精度のよい認証を実施できる。
【００５０】
＜記録媒体＞
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００５１】
ここで、コンピュータ等が読み取り可能な記録媒体とは、データやプログラム等の情報
を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、Compact Disc（ＣＤ）−Read Only Memory（ＲＯＭ）、ＣＤ−Recordable（Ｒ）、Digital Versatile Disk（ＤＶＤ）、ブルーレイディスク、Digital Audio Tape（ＤＡＴ）、８ｍｍテープ、フラッシュメモリなどのメモリカード等がある。また、コンピュータ等に固定された記録媒体としてハードディスク、ＲＯＭ（リードオンリーメモリ）等がある。さらに、Solid State Drive（ＳＳＤ）は、コンピュータ等から取り外し可能な記録媒体としても
、コンピュータ等に固定された記録媒体としても利用可能である。
【符号の説明】
【００５２】
１０    情報処理装置
１１    メインＣＰＵ
１２    サブＣＰＵ
１３    メモリ
１４    ディスプレイ
１５    カメラ
１６    加速度センサ
１７    ジャイロセンサ
【図１】
2017021574.tif 000003
【図２】
2017021574.tif 000004
【図３】
2017021574.tif 000005
【図４】
2017021574.tif 000006
【図５】
2017021574.tif 000007
【図６】
2017021574.tif 000008
【図７】
2017021574.tif 000009
【図８】
2017021574.tif 000010
【図９】
2017021574.tif 000011
【図１０】
2017021574.tif 000012
【図１１】
2017021574.tif 000013
【図１２】
2017021574.tif 000014
【図１３】
2017021574.tif 000015